(57)【要約】【課題】  施工性に優れるとともに、接合部においても剛性の低下の少ないパネル接合方法を提供する。【解決手段】  山部５と谷部６とを連続させた波形に成形された折板２と、折板２の山部５又は谷部６の一方に接合された第一の表面板３と、折板２の谷部６又は山部５の他方に接合された第二の表面板４と、で構成されてなるパネル１同士を接合するパネル接合方法であって、一方のパネル１の折板２の山部５近傍と、他方のパネル１の折板２の山部５近傍、又は、一方のパネル１の折板２の谷部６近傍と、他方のパネル１の折板２の谷部６近傍とで接合させることを特徴とする。【選択図】      図１
2005054417.tif 000002
【特許請求の範囲】
【請求項１】
山部と谷部とを連続させた波形に成形された折板と、前記折板の山部又は谷部の一方に接合された第一の表面板と、前記折板の谷部又は山部の他方に接合された第二の表面板と、で構成されてなるパネル同士を接合するパネル接合方法であって、
一方の前記パネルの折板の山部近傍と、他方の前記パネルの折板の山部近傍、又は、一方の前記パネルの折板の谷部近傍と、他方の前記パネルの折板の谷部近傍とで接合させることを特徴とするパネル接合方法。
【請求項２】
前記パネルの第一の表面板同士を接合する締結部材と、山折りにされた板部材とを有する接合部材を用い、前記パネルの第二の表面板近傍で、一方の前記パネルの折板の山部近傍と他方の前記パネルの折板の山部近傍、又は、一方の前記パネルの折板の谷部近傍と他方の前記パネルの折板の谷部近傍にまたがるように前記板部材を係合させ、前記締結部材と前記板部材を連結することにより、前記パネル同士を接合する請求項１に記載のパネル接合方法。
【請求項３】
前記接合部材を、前記パネルの山部又は谷部の長手方向に間隔をおいて複数配置する請求項１又は２に記載のパネル接合方法。
【請求項４】
前記接合部材が、前記パネルの山部又は谷部の長手方向に長尺な板部材からなり、前記締結部材と前記板部材とを連結する軸部材を、前記パネルの山部又は谷部の長手方向に間隔をおいて複数配置する請求項１乃至３のいずれかに記載のパネル接合方法。
【請求項５】
前記締結部材が、前記パネルの山部又は谷部の長手方向に長尺な部材からなる請求項１乃至４のいずれかに記載のパネル接合方法。
【請求項６】
前記締結部材の前記表面板側、及び／又は前記表面板の締結部材側の少なくとも一方に、１又は複数の突起部が形成されている請求項１乃至５のいずれかに記載のパネル接合方法。
【請求項７】
前記パネルの端部に、前記第一の表面板と前記折板との間を連結する端部連結部材を有する請求項１乃至６のいずれかに記載のパネル接合方法。
【請求項８】
前記端部連結部材が、前記折板の端部を前記第一の表面板方向に折り曲げることによって形成されている請求項７に記載のパネル接合方法。
【請求項９】
前記パネルの端部に、前記第一の表面板と前記第二の表面板を連結する表面板連結部材を有する請求項１乃至６のいずれかに記載のパネル接合方法。
【請求項１０】
前記表面板連結部材が、前記第二の表面板の端部を第一の表面板方向に折り曲げることによって形成されている請求項９に記載のパネル接合方法。
【請求項１１】
前記表面板連結部材が、前記第一の表面板の端部を第二の表面板方向に折り曲げることによって形成されている請求項９に記載のパネル接合方法。
【請求項１２】
前記表面板連結部材間が、近接している請求項９乃至１１のいずれかに記載のパネル接合方法。
【請求項１３】
前記表面板連結部材間に、干渉部材が挿入され、前記干渉部材を介して前記表面板連結部材が、近接している請求項１２に記載のパネル接合方法。
【請求項１４】
前記表面板連結部材に、凸状部が形成され、前記凸状部が当接することによって、前記表面板連結部材間が、近接している請求項１２又は１３に記載のパネル接合方法。
【請求項１５】
前記端部連結部材間が、近接している請求項７又は８に記載のパネル接合方法。
【請求項１６】
前記端部連結部材間に、干渉部材が挿入され、前記干渉部材を介して前記端部連結部材が、近接している請求項１５に記載のパネル接合方法。
【請求項１７】
前記端部連結部材に、凸状部が形成され、前記凸状部が当接することによって、前記端部連結部材間が、近接している請求項１５又は１６に記載のパネル接合方法。
【請求項１８】
前記第一の表面板、又は第二の表面板のいずれか一方の端部に開口を備え、前記開口が形成された表面板の他方側から前記接合部材を挿入し、前記開口に前記板部材を挿入することによって前記パネル同士を接合する請求項１乃至１７のいずれかに記載のパネル接合方法。
【請求項１９】
山部と谷部とを連続させた波形に成形された折板と、前記折板の山部又は谷部の一方に接合された第一の表面板と、前記折板の谷部又は山部の他方に接合された第二の表面板とからなるパネル同士を接合するパネル接合方法であって、
一方の前記パネルの第二の表面板の端部と他方の前記パネルの第二の表面板の端部に、反折板方向に凸部を設け、この凸部を相対するように配置し、前記凸部同士で接合させることを特徴とするパネル接合方法。
【請求項２０】
前記パネルの第一の表面板同士を接合する締結部材と山折りにされた板部材を有する接合部材を用い、前記相対するように配置された前記凸部間にまたがるように前記板部材を係合させ、前記締結部材と前記板部材を連結することにより、パネル同士を接合する請求項１９に記載のパネル接合方法。
【請求項２１】
前記凸部が、前記第二の表面板を成形して形成されたものである請求項１９又は２０に記載のパネル接合方法。
【請求項２２】
前記凸部が、前記第二の表面板に別の部材を取り付けて形成されたものである請求項１９又は２０に記載のパネル接合方法。
【請求項２３】
前記凸部が、前記第二の表面板の端部を前記折板側に凹部を形成するように成形されたものである請求項１９又は２０に記載のパネル接合方法。
【請求項２４】
前記接合部材が、前記パネルの山部又は谷部の長手方向に長尺な板部材からなり、前記締結部材と前記板部材とを連結する軸部材を、前記パネルの山部又は谷部の長手方向に間隔をおいて複数配置する請求項１９乃至２３のいずれかに記載のパネル接合方法。
【請求項２５】
前記締結部材が、前記パネルの山部又は谷部の長手方向に長尺な部材からなる請求項１９乃至２４のいずれかに記載のパネル接合方法。
【請求項２６】
前記締結部材の前記表面板側、及び／又は前記表面板の締結部材側の少なくとも一方に、１又は複数の突起部が形成されている請求項１９乃至２５のいずれかに記載のパネル接合方法。
【請求項２７】
前記パネルの端部に、前記第一の表面板と前記折板との間を連結する端部連結部材を有する請求項１９乃至２６のいずれかに記載のパネル接合方法。
【請求項２８】
前記端部連結部材が、前記折板の端部を前記第一の表面板方向に折り曲げることによって形成されている請求項２７に記載のパネル接合方法。
【請求項２９】
前記パネルの端部に、前記第一の表面板と前記第二の表面板を連結する表面板連結部材を有する請求項１９乃至２６のいずれかに記載のパネル接合方法。
【請求項３０】
前記表面板連結部材が、前記第二の表面板の端部を前記第一の表面板方向に折り曲げることによって形成されている請求項２９に記載のパネル接合方法。
【請求項３１】
前記表面板連結部材が、前記第一の表面板の端部を前記第二の表面板方向に折り曲げることによって形成されている請求項２９に記載のパネル接合方法。
【請求項３２】
前記表面板連結部材間が、近接している請求項２９乃至３１のいずれかに記載のパネル接合方法。
【請求項３３】
前記表面板連結部材間に、干渉部材が挿入され、前記干渉部材を介して前記表面連結部材が、近接している請求項３２に記載のパネル接合方法。
【請求項３４】
前記表面板連結部材に、凸状部が形成され、前記凸状部が当接することによって、前記表面板連結部材間が、近接している請求項３２又は３３に記載のパネル接合方法。
【請求項３５】
前記端部連結部材間が、近接している請求項２７又は２８に記載のパネル接合方法。
【請求項３６】
前記端部連結部材間に、干渉部材が挿入され、前記干渉部材を介して前記端部連結部材が、近接している請求項３５に記載のパネル接合方法。
【請求項３７】
前記端部連結部材に、凸状部が形成され、前記凸状部が当接することによって、前記端部連結部材間が、近接している請求項３５又は３６に記載のパネル接合方法。
【請求項３８】
山部と谷部とを連続させた波形に成形された折板と、前記折板の山部又は谷部の一方に接合された第一の表面板と、前記折板の谷部又は山部の他方に接合された第二の表面板とからなるパネル同士を接合するパネル接合方法であって、
一方の前記パネルの折板の山部と谷部の中間部と、他方の前記パネルの折板の山部と谷部の中間部とを少なくともその一部を沿わせた状態で、一方の前記パネルの折板と他方の前記パネルの折板を接合させることを特徴とするパネル接合方法。
【請求項３９】
一方の前記パネルの折板の山部と谷部の中間部と、他方の前記パネルの折板の山部と谷部の中間部とを接着剤により接合させる請求項３８に記載のパネル接合方法。
【請求項４０】
一方の前記パネルの折板の山部近傍又は谷部近傍に開口を設け、前記開口に他方の前記パネルの折板の端部を挿入することにより接合する請求項３８又は３９に記載のパネル接合方法。
【請求項４１】
山部と谷部とを連続させた波形に成形された折板と、前記折板の山部又は谷部の一方に接合された第一の表面板と、前記折板の谷部又は山部の他方に接合された第二の表面板とからなるパネル同士を接合するパネル接合方法であって、
一方の前記パネルの折板の山部と谷部の中間位置で、他方の前記パネルの折板の端部と接合することを特徴とするパネル接合方法。
【請求項４２】
一方の前記パネルの折板の山部と谷部の中間位置に開口を設け、前記開口に他方の前記パネルの折板の端部を挿入することにより接合する請求項４１に記載のパネル接合方法。
【請求項４３】
山部と谷部とを連続させた波形に成形された折板と、前記折板の山部又は谷部の一方に接合された第一の表面板と、前記折板の谷部又は山部の他方に接合された第二の表面板とからなるパネル同士を接合するパネル接合方法であって、
前記パネルの第一の表面板同士を接合する締結部材と、両端に係止部材が設けられた板部材と、を備えてなる接合部材を用い、前記パネル同士を接合するパネル接合方法。
【請求項４４】
前記係止部材が、凹状部を備えており、前記第二の表面板の端部に設けられている凸状部に係合して前記パネル同士を接合する請求項４３に記載のパネル接合方法。
【請求項４５】
前記係止部材が突起部を備え、前記突起部で前記第二の表面板に係合して前記パネル同士を接合する請求項４３に記載のパネル接合方法。
【請求項４６】
山部と谷部とを連続させた波形に成形された折板と、前記折板の山部又は谷部の一方に接合された第一の表面板と、前記折板の谷部又は山部の他方に接合された第二の表面板とからなるパネル同士を接合するパネル接合方法であって、
前記パネルを、前記第一の表面板と前記第二の表面板のいずれか一方又は両方を接合する締結部材と、該締結部材に設けられた軸部材とで構成される接合部材によって接合し、前記締結部材と前記第一の表面板間及び／又は前記締結部材と前記第二の表面板間に摩擦抵抗付与手段を設けることにより前記締結部材と前記第一の表面板間及び／又は前記締結部材と前記第二の表面板間の摩擦抵抗を高めて接合するパネルの接合方法。
【請求項４７】
前記摩擦抵抗付与手段が、前記締結部材と前記第一の表面板間及び／又は前記締結部材と前記第二の表面板間に設けられた突起部であることを特徴とする請求項４６に記載のパネルの接合方法。
【発明の詳細な説明】
【技術分野】
【０００１】
本発明は、パネル接合方法に関し、特に、複数のパネルを接合した場合であっても剛性を損なうことのないパネル接合方法に関するものである。
【背景技術】
【０００２】
近年、建築物や車両等の内外壁、天井、床等に、構造体の基礎、柱、梁等への負荷を減らす目的で、軽量でかつ剛性の高いパネルが多用されるようになっている。
【０００３】
このようなパネルとしては、例えば、台形形状の繰り返し構造からなるハニカムコアを上下のフェースシートで挟み、そのフェースシートの少なくとも一方に、連続または不連続の突状を形成しているもの等（例えば、特許文献１参照。）が知られている。なお、ここでいうハニカムとは、一般的なハニカム構造ではないが、説明上、特許文献１に記載の表現を使用している。
【０００４】
ところが、パネルの使用部位が広い場合には、例えば、図１９に示すように、施工や生産性の面から複数のパネル６０を並べて用いられている。このような場合、複数のパネル６０の各パネル６０同士を接合しなくては、各パネル６０がバラバラに動き、幅方向の剛性が一体物に比べて大きく低下してしまう。
【０００５】
そのため、例えば、特許文献２、特許文献３及び特許文献４に記載されているように、各パネルを接合部材等を用いて接合し、各パネルを固定するようにしている。
【特許文献１】特開２００１−２３２４３１号公報
【特許文献２】特開２００２−１３２４６号公報
【特許文献３】特開２００１−２７０３０号公報
【特許文献４】実開平７−６３２８号公報
【発明の開示】
【発明が解決しようとする課題】
【０００６】
しかしながら、これらに記載されている接合方法では、各パネルの接合部分でパネル部分に比べて剛性が低下してしまう。例えば、図２０に示すように、パネル６１，６２の端部同士を突き合わせて、板部材６３とネジ等の締結部材６４等の接合部材６５を用いた場合、図２０（ｂ）、（ｃ）に示すように、上下荷重や曲げ荷重が作用した場合、パネル６１，６２に比べて剛性の小さい接合部材６５の板部材６３に変形が集中することになり、パネル全体としての剛性が高くならないという問題がある。
【０００７】
また、図２１に示すように、接合部材６５として板部材６３を使用することなく、パネルの表面板６６同士を締結部材６４で接合した場合も、前述同様に、接合部において、パネル部分に比べて剛性が低下してしまう。このため、図２１（ｂ）、（ｃ）に示すように、パネルに上下荷重や曲げ荷重が作用した場合に、接合部分に変形が集中して、パネル全体としての剛性が高くならないという問題がある。
【０００８】
また、これらは、図示するように、パネルの表面板の両側から締結部材によって、接合固定するため、施工性が悪く、建築構造物等には不向きであった。
【０００９】
本発明は、これらの問題点を解決するためになされたものであり、施工性に優れるとともに、接合部においても剛性の低下の少ないパネル接合方法を提供することを目的とする。
【課題を解決するための手段】
【００１０】
前記課題を解決するための本発明に係るパネル接合方法は、山部と谷部とを連続させた波形に成形された折板と、前記折板の山部又は谷部の一方に接合された第一の表面板と、前記折板の谷部又は山部の他方に接合された第二の表面板と、で構成されてなるパネル同士を接合するパネル接合方法であって、一方の前記パネルの折板の山部近傍と、他方の前記パネルの折板の山部近傍、又は、一方の前記パネルの折板の谷部近傍と、他方の前記パネルの折板の谷部近傍とで接合させることを特徴とするものである。
【００１１】
一方のパネルの折板の山部近傍と他方のパネルの折板の山部近傍、又は、一方のパネルの折板の谷部近傍と他方のパネルの折板の谷部近傍とで接合させることにより、接合部分における剛性の低下を抑制することが可能となり、パネル全体としての剛性の低下を抑制できる。
【００１２】
また、本発明に係るパネル接合方法は、前述の発明に加えて、前記パネルの第一の表面板同士を接合する締結部材と、山折りにされた板部材とを有する接合部材を用い、前記パネルの第二の表面板近傍で、一方の前記パネルの折板の山部近傍と他方の前記パネルの折板の山部近傍、又は、一方の前記パネルの折板の谷部近傍と他方の前記パネルの折板の谷部近傍にまたがるように前記板部材を係合させ、前記締結部材と前記板部材を連結することにより、前記パネル同士を接合するものである。
【００１３】
締結部材と板部材とを連結することにより、接合部材の変形を抑制でき、接合部分のパネルの剛性の低下を確実に抑制できる。ここで、山折りにされた板部材とは、断面が三角形状、あるいは台形状となるように板部材を屏風状に曲折したものをいう。
【００１４】
また、本発明に係るパネル接合方法は、前述の発明に加えて、前記接合部材を、前記パネルの山部又は谷部の長手方向に間隔をおいて複数配置するものである。
【００１５】
複数箇所で、パネル同士を接合するため、接合部分における剛性の低下を抑制することが可能となる。
【００１６】
また、本発明に係るパネル接合方法は、前述の発明に加えて、前記接合部材が、前記パネルの山部又は谷部の長手方向に長尺な板部材からなり、前記締結部材と前記板部材とを連結する軸部材を、前記パネルの山部又は谷部の長手方向に間隔をおいて複数配置するものである。
【００１７】
接合部材をパネルの山部又は谷部の長手方向に長尺な板部材で形成し、締結部材とこの板部材とを連結する軸部材を、前記パネルの山部又は谷部の長手方向に間隔をおいて複数配置することによって、パネルの接合部分における剛性を低下させることなく、パネル同士の接合を行うことができる。
【００１８】
また、本発明に係るパネル接合方法は、前述の発明に加えて、前記締結部材が、前記パネルの山部又は谷部の長手方向に長尺な部材からなるものである。
【００１９】
締結部材をパネルの山部又は谷部の長手方向に長尺な部材で形成し、締結部材と板部材とを連結する軸部材を、前記パネルの山部又は谷部の長手方向に間隔をおいて複数配置することによって、パネルの接合部分における剛性を低下させることなく、パネル同士の接合を行うことができる。
【００２０】
また、本発明に係るパネル接合方法は、前述の発明に加えて、前記締結部材の前記表面板側、及び／又は前記表面板の締結部材側の少なくとも一方に、１又は複数の突起部が形成されているものである。
【００２１】
締結部材の表面板側、及び／又は表面板の締結部材側の少なくとも一方に、１又は複数の突起部を設けることによって、締結部材と表面板との間の摩擦抵抗が大きくなり、接合部に曲げ荷重による引張りあるいは圧縮の力が作用した場合であっても、締結部材と表面板間のすべりによって接合部に変形が集中することを抑制できる。
【００２２】
また、本発明に係るパネル接合方法は、前述の発明に加えて、前記パネルの端部に、前記第一の表面板と前記折板との間を連結する端部連結部材を有するものである。
【００２３】
端部連結部材を有するため、パネルの端部が開口することなく、搬送、施工時の強度等に優れたものとできる。また、締結部材と板部材間の連結をより強固にでき、接合部材の変形をより低減することができる。
【００２４】
また、本発明に係るパネル接合方法は、前述の発明に加えて、前記端部連結部材が、前記折板の端部を前記第一の表面板方向に折り曲げることによって形成されているものである。
【００２５】
端部連結部材が、折板の端部を第一の表面板方向に折り曲げることによって形成されたものであるため、構成部品を少なくすることが可能となる。
【００２６】
また、本発明に係るパネル接合方法は、前述の発明に加えて、前記パネルの端部に、前記第一の表面板と前記第二の表面板を連結する表面板連結部材を有するものである。
【００２７】
パネルの端部に第一の表面板と第二の表面板とを連結する表面板連結部材を有するため、パネルの端部が開口することなく、搬送、施工時の強度等を優れたものとできる。また、締結部材と板部材間の連結をより強固にでき、接合部材の変形をより低減することができる。
【００２８】
また、本発明に係るパネル接合方法は、前述の発明に加えて、前記表面板連結部材が、前記第二の表面板の端部を第一の表面板方向に折り曲げることによって形成されているものである。
【００２９】
表面板連結部材が、第二の表面板の端部を第一の表面板方向に折り曲げることによって形成されたものであるため、構成部品を少なくすることが可能となる。
【００３０】
また、本発明に係るパネル接合方法は、前述の発明に加えて、前記表面板連結部材が、前記第一の表面板の端部を第二の表面板方向に折り曲げることによって形成されているものである。
【００３１】
表面板連結部材が、第一の表面板の端部を第二の表面板方向に折り曲げることによって形成されたものであるため、構成部品を少なくすることが可能となる。
【００３２】
また、本発明に係るパネル接合方法は、前述の発明に加えて、前記表面板連結部材間が、近接しているものである。
【００３３】
パネル間が近接しているため、パネル接合部に曲げ荷重による圧縮の力が作用した場合であっても、パネル相互間で、干渉しあって、接合部における曲げ変形が抑制される。このため、接合部におけるパネルの剛性が低下することがない。
【００３４】
また、本発明に係るパネル接合方法は、前述の発明に加えて、前記表面板連結部材間に、干渉部材が挿入され、前記干渉部材を介して前記表面板連結部材が、近接しているものである。
【００３５】
干渉部材が挿入されることによって、パネル端部の表面板連結部材間が近接して、連結される。ここで、干渉部材としては、金属、木材、樹脂等を使用することができる。これによって、前述したように、締結部材の表面板側に設けられた突起部がこれら干渉部材に突き刺さり、締結部材が確実に固結され、接合部における接合強度を確実に高めることができる。
【００３６】
また、本発明に係るパネル接合方法は、前述の発明に加えて、前記表面板連結部材に、凸状部が形成され、前記凸状部が当接することによって、前記表面板連結部材間が、近接しているものである。
【００３７】
表面板連結部材を凸状部に成形するため、部材点数を増やさずに容易にパネル同士を当接することができる。
【００３８】
また、本発明に係るパネル接合方法は、前述の発明に加えて、前記端部連結部材間が、近接しているものである。
【００３９】
パネル間が近接しているため、パネル接合部に曲げ荷重による圧縮の力が作用した場合であっても、パネル相互間で、干渉しあって、接合部における曲げ変形が抑制される。このため、接合部におけるパネルの剛性が低下することがない。
【００４０】
また、本発明に係るパネル接合方法は、前述の発明に加えて、前記端部連結部材間に、干渉部材が挿入され、前記干渉部材を介して前記端部連結部材が、近接しているものである。
【００４１】
干渉部材が挿入されることによって、パネル端部の端部連結部材間が近接して、連結される。ここで、干渉部材としては、金属、木材、樹脂等を使用することができる。これによって、前述したように、締結部材の表面板側に設けられた突起部がこれら干渉部材に突き刺さり、締結部材が確実に固結され、接合部における接合強度を確実に高めることができる。
【００４２】
また、本発明に係るパネル接合方法は、前述の発明に加えて、前記端部連結部材に、凸状部が形成され、前記凸状部が当接することによって、前記端部連結部材間が、近接しているものである。
【００４３】
端部連結部材を凸状部に成形するため、部材点数を増やさずに容易にパネル同士を当接することができる。
【００４４】
また、本発明に係るパネル接合方法は、前述の発明に加えて、前記第一の表面板、又は第二の表面板のいずれか一方の端部に開口を備え、前記開口が形成された表面板の他方側から前記接合部材を挿入し、前記開口に前記板部材を挿入することによって前記パネル同士を接合するものである。
【００４５】
第一の表面板又は第二の表面板のいずれか一方の端部に開口を設けるため、折板同士の接合が容易であり、また、表面板を端部にまで設けることができる。
【００４６】
また、本発明に係るパネル接合方法は、山部と谷部とを連続させた波形に成形された折板と、前記折板の山部又は谷部の一方に接合された第一の表面板と、前記折板の谷部又は山部の他方に接合された第二の表面板とからなるパネル同士を接合するパネル接合方法であって、一方の前記パネルの第二の表面板の端部と他方の前記パネルの第二の表面板の端部に、反折板方向に凸部を設け、この凸部を相対するように配置し、前記凸部同士で接合させることを特徴とするものである。
【００４７】
各々のパネルの表面板の端部に反折板方向に凸部を設け、この凸部を相対するように配置し、凸部同士で接合させることによって、パネル端部に作用する集中力によるパネル端部に局所的な変形を低減でき、接合部分におけるパネルの剛性の低下を抑制することができる。
【００４８】
また、本発明に係るパネル接合方法は、前述の発明に加えて、前記パネルの第一の表面板同士を接合する締結部材と山折りにされた板部材を有する接合部材を用い、前記相対するように配置された前記凸部間にまたがるように前記板部材を係合させ、前記締結部材と前記板部材を連結することにより、パネル同士を接合するものである。
【００４９】
締結部材と板部材とを連結することにより、接合部材の変形を抑制でき、接合部分のパネルの剛性の低下を確実に抑制できる。
【００５０】
また、本発明に係るパネル接合方法は、前述の発明に加えて、前記凸部が、前記第二の表面板を成形して形成されたものである。
【００５１】
凸部が、第二の表面板を成形して形成されたものであるため、部品点数を低減することが可能となる。
【００５２】
また、本発明に係るパネル接合方法は、前述の発明に加えて、前記凸部が、前記第二の表面板に別の部材を取り付けて形成されたものである。
【００５３】
凸部を第二の表面板に別の部材を取り付けて形成するため、必要な箇所に必要な強度を有する部材を適宜取り付けることができるため、効率良く結合部の剛性の低下を抑えられる。
【００５４】
また、本発明に係るパネル接合方法は、前述の発明に加えて、前記凸部が、前記第二の表面板の端部を前記折板側に凹部を形成するように成形されたものである。
【００５５】
凸部が、第二の表面板の端部を折板側に凹部を形成するように成形されたものであるため、部品点数を低減することが可能となる。また、パネル厚さが増えることなく、本接合方法を実施できる。
【００５６】
また、本発明に係るパネル接合方法は、前述の発明に加えて、前記接合部材が、前記パネルの山部又は谷部の長手方向に長尺な板部材からなり、前記締結部材と前記板部材とを連結する軸部材を、前記パネルの山部又は谷部の長手方向に間隔をおいて複数配置するものである。
【００５７】
接合部材をパネルの山部又は谷部の長手方向に長尺な板部材で形成し、締結部材とこの板部材とを連結する軸部材を、前記パネルの山部又は谷部の長手方向に間隔をおいて複数配置することによって、パネルの接合部分における剛性を低下させることなく、パネル同士の接合を行うことができる。
【００５８】
また、本発明に係るパネル接合方法は、前述の発明に加えて、前記締結部材が、前記パネルの山部又は谷部の長手方向に長尺な部材からなるものである。
【００５９】
締結部材をパネルの山部又は谷部の長手方向に長尺な部材で形成し、締結部材と板部材とを連結する軸部材を、前記パネルの山部又は谷部の長手方向に間隔をおいて複数配置することによって、パネルの接合部分における剛性を低下させることなく、パネル同士の接合を行うことができる。
【００６０】
また、本発明に係るパネル接合方法は、前述の発明に加えて、前記締結部材の前記表面板側、及び／又は前記表面板の締結部材側の少なくとも一方に、１又は複数の突起部が形成されているものである。
【００６１】
締結部材の表面板側、及び／又は表面板の締結部材側の少なくとも一方に、１又は複数の突起部を設けることによって、締結部材と表面板との間の摩擦抵抗が大きくなり、接合部に曲げ荷重による引張りあるいは圧縮の力が作用した場合であっても、締結部材と表面板間のすべりによって接合部に変形が集中することを抑制できる。
【００６２】
また、本発明に係るパネル接合方法は、前述の発明に加えて、前記パネルの端部に、前記第一の表面板と前記折板との間を連結する端部連結部材を有するものである。
【００６３】
端部連結部材を有するため、パネルの端部が開口することなく、搬送、施工時の強度等に優れたものとできる。また、締結部材と板部材間の連結をより強固にでき、接合部材の変形をより低減することができる。
【００６４】
また、本発明に係るパネル接合方法は、前述の発明に加えて、前記端部連結部材が、前記折板の端部を前記第一の表面板方向に折り曲げることによって形成されているものである。
【００６５】
端部連結部材が、折板の端部を第一の表面板方向に折り曲げることによって形成されたものであるため、構成部品を少なくすることが可能となる。
【００６６】
また、本発明に係るパネル接合方法は、前述の発明に加えて、前記パネルの端部に、前記第一の表面板と前記第二の表面板を連結する表面板連結部材を有するものである。
【００６７】
パネルの端部に第一の表面板と第二の表面板とを連結する表面板連結部材を有するため、パネルの端部が開口することなく、搬送、施工時の強度等を優れたものとできる。また、締結部材と板部材間の連結をより強固にでき、接合部材の変形をより低減することができる。
【００６８】
また、本発明に係るパネル接合方法は、前述の発明に加えて、前記表面板連結部材が、前記第二の表面板の端部を前記第一の表面板方向に折り曲げることによって形成されているものである。
【００６９】
表面板連結部材が、第二の表面板の端部を第一の表面板方向に折り曲げることによって形成されたものであるため、構成部品を少なくすることが可能となる。
【００７０】
また、本発明に係るパネル接合方法は、前述の発明に加えて、前記表面板連結部材が、前記第一の表面板の端部を前記第二の表面板方向に折り曲げることによって形成されているものである。
【００７１】
表面板連結部材が、第一の表面板の端部を第二の表面板方向に折り曲げることによって形成されたものであるため、構成部品を少なくすることが可能となる。
【００７２】
また、本発明に係るパネル接合方法は、前述の発明に加えて、前記表面板連結部材間が、近接しているものである。
【００７３】
パネル間が近接しているため、パネル接合部に曲げ荷重による圧縮の力が作用した場合であっても、パネル相互間で、干渉しあって、接合部における曲げ変形が抑制される。このため、接合部におけるパネルの剛性が低下することがない。
【００７４】
また、本発明に係るパネル接合方法は、前述の発明に加えて、前記表面板連結部材間に、干渉部材が挿入され、前記干渉部材を介して前記表面板連結部材が、近接しているものである。
【００７５】
干渉部材が挿入されることによって、パネル端部の表面板連結部材間が近接して、連結される。ここで、干渉部材としては、金属、木材、樹脂等を使用することができる。これによって、前述したように、締結部材の表面板側に設けられた突起部がこれら干渉部材に突き刺さり、締結部材が確実に固結され、接合部における接合強度を確実に高めることができる。
【００７６】
また、本発明に係るパネル接合方法は、前述の発明に加えて、前記表面板連結部材に、凸状部が形成され、前記凸状部が当接することによって、前記表面板連結部材間が、近接しているものである。
【００７７】
表面板連結部材を凸状部に成形するため、部材点数を増やさずに容易にパネル同士を当接することができる。
【００７８】
また、本発明に係るパネル接合方法は、前述の発明に加えて、前記端部連結部材間が、近接しているものである。
【００７９】
パネル間が近接しているため、パネル接合部に曲げ荷重による圧縮の力が作用した場合であっても、パネル相互間で、干渉しあって、接合部における曲げ変形が抑制される。このため、接合部におけるパネルの剛性が低下することがない。
【００８０】
また、本発明に係るパネル接合方法は、前述の発明に加えて、前記端部連結部材間に、干渉部材が挿入され、前記干渉部材を介して前記端部連結部材が、近接しているものである。
【００８１】
干渉部材が挿入されることによって、パネル端部の端部連結部材間が近接して、連結される。ここで、干渉部材としては、金属、木材、樹脂等を使用することができる。これによって、前述したように、締結部材の表面板側に設けられた突起部がこれら干渉部材に突き刺さり、締結部材が確実に固結され、接合部における接合強度を確実に高めることができる。
【００８２】
また、本発明に係るパネル接合方法は、前述の発明に加えて、前記端部連結部材に、凸状部が形成され、前記凸状部が当接することによって、前記端部連結部材間が、近接しているものである。
【００８３】
表面板連結部材を凸状部に成形するため、部材点数を増やさずに容易にパネル同士を当接することができる。
【００８４】
また、本発明に係るパネル接合方法は、山部と谷部とを連続させた波形に成形された折板と、前記折板の山部又は谷部の一方に接合された第一の表面板と、前記折板の谷部又は山部の他方に接合された第二の表面板とからなるパネル同士を接合するパネル接合方法であって、一方の前記パネルの折板の山部と谷部の中間部と、他方の前記パネルの折板の山部と谷部の中間部とを少なくともその一部を沿わせた状態で、一方の前記パネルの折板と他方の前記パネルの折板を接合させることを特徴とするものである。
【００８５】
一方のパネルの折板の山部と谷部の中間部と、他方のパネルの折板の山部と谷部の中間部とを少なくともその一部を沿わせた状態で、一方のパネルの折板と他方のパネルの折板を接合させるため、折板の連続させた波形が維持され、接合部におけるパネルの剛性が低下することを抑制することができる。
【００８６】
また、本発明に係るパネル接合方法は、前述の発明に加えて、一方の前記パネルの折板の山部と谷部の中間部と、他方の前記パネルの折板の山部と谷部の中間部とを接着剤により接合させるものである。
【００８７】
一方のパネルの折板の山部と谷部の中間部と、他方のパネルの折板山部と谷部の中間部とを接着剤により接合させるため、一方のパネルと他方のパネルとを簡易な方法で接合することが可能となり、また、確実にパネル間を接合することができる。
【００８８】
また、本発明に係るパネル接合方法は、前述の発明に加えて、一方の前記パネルの折板の山部近傍又は谷部近傍に開口を設け、前記開口に他方の前記パネルの折板の端部を挿入することにより接合するものである。
【００８９】
一方のパネルの折板の山部近傍又は谷部近傍に開口を設け、この開口に他方の折板の端部を挿入することにより接合することによって、折板の連続した波形を維持しながら、確実に折板同士を接合することができる。
【００９０】
また、本発明に係るパネル接合方法は、山部と谷部とを連続させた波形に成形された折板と、前記折板の山部又は谷部の一方に接合された第一の表面板と、前記折板の谷部又は山部の他方に接合された第二の表面板とからなるパネル同士を接合するパネル接合方法であって、一方の前記パネルの折板の山部と谷部の中間位置で、他方の前記パネルの折板の端部と接合させることを特徴とするものである。
【００９１】
一方の前記パネルの折板山部と谷部の中間位置で、他方の前記パネルの折板の端部と接合させるため、折板の連続させた波形が維持され、接合部におけるパネルの剛性が低下することを抑制することができる。
【００９２】
また、本発明に係るパネル接合方法は、前述の発明に加えて、一方の前記パネルの折板の山部と谷部の中間位置に開口を設け、前記開口に他方の前記パネルの折板の端部を挿入することにより接合する。
【００９３】
一方のパネルの折板の山部と谷部の中間位置に開口を設け、この開口に他方のパネルの折板の端部を挿入することにより接合することによって、折板の連続した波形を維持しながら、確実に折板同士を接合することができる。
【００９４】
また、本発明に係るパネル接合方法は、山部と谷部とを連続させた波形に成形された折板と、前記折板の山部又は谷部の一方に接合された第一の表面板と、前記折板の谷部又は山部の他方に接合された第二の表面板とからなるパネル同士を接合するパネル接合方法であって、前記パネルの第一の表面板同士を接合する締結部材と、両端に係止部材が設けられた板部材と、を備えてなる接合部材を用い、前記パネル同士を接合するものである。
【００９５】
板部材に係止部材が設けられており、パネル同士を確実に接合することができる。
【００９６】
また、本発明に係るパネル接合方法は、前述の発明に加えて、前記係止部材が、凹状部を備えており、前記第二の表面板の端部に設けられている凸状部に係合して前記パネル同士を接合するものである。
【００９７】
また、本発明に係るパネル接合方法は、前述の発明に加えて、係止部材が突起部を備え、前記突起部で前記第二の表面板に係合して前記パネル同士を接合するものである。
【００９８】
係止部材が、第二の表面板と確実に係合することが可能となり、第二の表面板に作用する圧縮、引張りの両方の力に抵抗し、接合部における曲げ変形を抑制できる。
【００９９】
また、本発明に係るパネル接合方法は、山部と谷部とを連続させた波形に成形された折板と、前記折板の山部又は谷部の一方に接合された第一の表面板と、前記折板の谷部又は山部の他方に接合された第二の表面板とからなるパネル同士を接合するパネル接合方法であって、前記パネルを、前記第一の表面板と前記第二の表面板のいずれか一方又は両方を接合する締結部材と、該締結部材に設けられた軸部材とで構成される接合部材によって接合し、前記締結部材と前記第一の表面板間及び／又は前記締結部材と前記第二の表面板間に摩擦抵抗付与手段を設けることにより前記締結部材と前記第一の表面板間及び／又は前記締結部材と前記第二の表面板間の摩擦抵抗を高めて接合するものである。
【０１００】
締結部材と表面板間に摩擦付与手段を設けることにより、締結部材と表面板との間の摩擦抵抗が大きくなり、接合部に曲げ荷重による引張りと圧縮の両方の力が作用した場合であっても、締結部材と表面板間のすべりによって接合部に変形が集中することを抑制できる。
【０１０１】
また、本発明に係るパネル接合方法は、前述の発明に加えて、前記摩擦抵抗付与手段が、前記締結部材と前記第一の表面板間及び／又は前記締結部材と前記第二の表面板間に設けられた突起部であることを特徴とするものである。
【０１０２】
複数の突起部を設けることによって、締結部材と表面板との間の摩擦抵抗を確実に高めることができ、接合部に曲げ荷重による引張りと圧縮の力が作用した場合であっても、締結部材と表面板間のすべりによって接合部に変形が集中することをより確実に抑制できる。
【発明の効果】
【０１０３】
本発明に係るパネル接合方法によると、従来のパネル接合方法に比較して、簡易な方法で確実にパネル同士を接合することができ、施工性に優れるとともに、接合部においても剛性の低下の少ないパネル接合方法とできる効果を奏する。
【発明を実施するための最良の形態】
【０１０４】
以下、図面を参照しつつ本発明の実施形態の一例を説明する。
【０１０５】
図１は、本発明のパネル接合方法の第１の実施形態例におけるパネル接合方法により接合したパネルの接合部の断面概略図を示す図である。図１において、１はパネル、２は折板、３は第一の表面板、４は第二の表面板、５は折板２の山部、６は折板２の谷部を示している。
【０１０６】
パネル１は、図１に示すように、山部５と谷部６とを連続させた波形に成形された折板２の山部５に接合された第一の表面板３と、折板２の谷部６に接合された第二の表面板４と、で構成されている。そして、パネル端部には、第一の表面板３と第二の表面板４との間を連結する表面板連結部材７が設けられている。この表面板連結部材７は、第二の表面板４の端部を第一の表面板３方向に折り曲げることによって形成されている。なお、この表面板連結部材７は、図示していないが、図１に示す場合とは逆に、第一の表面板３の端部を第二の表面板４方向に折り曲げることによって形成することもできる。
【０１０７】
第一の表面板３及び第二の表面板４は、鋼、チタン、アルミニウム等の金属、木質、樹脂等を使用することができる。また、折板２は、例えば、鋼、チタン、アルミニウム等の金属を用いることができる。また、この折板２は、断面が略三角形状であり、２枚の表面板とともに、トラス構造をなしていることが好ましく、山部５及び谷部６の各頂点部分は、Rが形成されているものであっても良い。また、山部５及び谷部６の各頂点部分に平坦部が設けられた略台形状であっても良い。また、第二の表面板４の端部には、後述の接合部材１０の近傍のみ開口８が設けられている。
【０１０８】
そして、各パネル１を接合する際は、パネル１の端部の表面板連結部材７，７同士を突き合わせ、山折りにされた板部材９が設けられた軸部材１２を第一の表面板３側から挿入し、各パネル１，１の端の谷部をまたぐように板部材９で係合させ、第一の表面板３，３同士を接合する締結部材１１と、軸部材１２で連結することによって各パネル１，１を接合する。このとき、板部材９は、第二の表面板４の端部に開口が設けられているため、第二の表面板４がパネル端部まであっても、折板谷部に係合させることができる。ここで、軸部材１２は、断面形状が円形、四角形等、特に限定されるものではなく、また、平板やワイヤー等も使用することができる。そして、締結部材１１と軸部材１２の連結方法としては、軸部材１２の先端にネジを用いて締結部材１１にある穴に通してナット止めする等適宜選択することができる。
【０１０９】
締結部材１１は、第一の表面板３との接合をネジ１３等によって行うことによって、締結部材１１と表面板３間のすべりを抑えることができる。このため、接合部に曲げ荷重による引張りや圧縮の力が作用した場合であっても、締結部材１１と表面板３間のすべりによって接合部に変形が集中することを抑制できる。
【０１１０】
また、図１に示すように、山折りされた板部材９を第一の表面板３側から挿入することで、他方側の第二の表面板４の近傍で折板２同士を係合することができるため、例えば、床等に複数のパネルを予め配置した後であっても、床表面側の第一の表面板３側からこれら接合部材１０を挿入し、回転して板部材を折板の谷部に引っ掛けるようにして係合することによって、各パネル１，１を接合することが可能である。このため、従来法に比べて、施工性が大幅に向上する。
【０１１１】
また、締結部材１１を、第一の表面板３，３に接合する際は、ネジ１３等を使用する以外に、例えば、釘、リベット、カシメ、溶接等によって接合することもできる。また、接着剤等を併用することもできる。
【０１１２】
また、これら接合部材１０は、パネルの長手方向に間隔を置いて、複数配置することができる。これによって、パネルの大きさにあわせて、確実に複数枚のパネルを接合することができる。また、板部材９は、パネルの長手方向の長さにあわせて長尺な部材で形成することもできる。これによって、一枚の板部材９で、パネル同士を接合することが可能となり、接合部における接合強度を均等にすることができる。
【０１１３】
図２は、本発明の第２の実施形態におけるパネル接合方法により接合したパネルの接合部の断面図である。なお、図２において、図１と同一の部材は、同一の符号を付して詳細な説明は省略する。
【０１１４】
本実施形態におけるパネル接合方法と、前述の第１の実施形態との相違点は、第二の表面板４の端部に凸部１４が設けられ、接合部材１０の山折りにされた板部材９がこれら凸部１４をまたぐようにして係合されて、パネルが接合されている点である。
【０１１５】
この凸部１４は、第二の表面板４を折り曲げて形成されている。そして、さらに、第一の表面板３方向に折り曲げられて第一の表面板３と連結することによって、表面板連結部材７が形成されている。
【０１１６】
そして、この凸部１４，１４を相対するように配置し、接合部材１０に設けられている山折りされた板部材９によって係合する。これにより、接合部近傍の強度低下を伴わず、接合部分のパネルの剛性の低下を確実に抑制できる。また、この凸部１４が、第二の表面板４を成形して形成されたものであるため、部品点数を低減することが可能となる。
【０１１７】
なお、これら凸部１４，１４は、例えば、図５に示すように、第二の表面板４に別の部材を取り付けて形成することもできる。このように、凸部１４を第二の表面板４に別の部材を取り付けて形成することで、必要な箇所に必要な強度を有する部材を適宜取り付けることができるため、効率良く結合部の剛性の低下を抑えられる。
【０１１８】
また、図３及び図４に、本発明の第３の実施形態におけるパネル接合方法により接合したパネルの接合部の断面図を示す。図３に示す実施形態に係るパネルは、表面板連結部材７、７間に、干渉部材１９が挿入され、この干渉部材１９を軸部材１２が貫通している。そして、軸部材１２の一方側では、山折りにされた板部材９によって第二の表面板４に形成された凸部１４に係合し、他方側は締結部材１１及びネジ１３によって、パネル同士が接合されている。ここで、軸部材１２は、断面形状が円形、四角形等、特に限定されるものではなく、また、平板やワイヤー等も使用することができる。
【０１１９】
図４に示す実施形態に係るパネルは、表面板連結部材７に、凸状部１５が形成され、この凸状部１５，１５が近接し、隙間が生じないように当接することによって表面板連結部材７が近接している。そして、この凸状部１５，１５には、接合部１０の軸部材１２が貫通するため、穴又は凹部が設けられている。また、軸部材１２の一方側に設けられた山折りにされた板部材９が第二の表面板４に形成されている凸部１４に係合し、他方側で締結部材１１及びネジ１３によって接合されている。なお、図３及び図４において、図１及び図２と同一の部材は、同一の符号を付して詳細な説明は省略する。
【０１２０】
図３に示すように、表面板連結部材７，７間に干渉部材１９を挿入することによって、この干渉部材１９を介して表面板連結部材７，７間が近接されている。このため、例えば、パネル接合部に曲げ荷重による圧縮の力が作用した場合であっても、パネル相互間で、干渉しあって、接合部における曲げ変形が抑制される。このため、接合部におけるパネルの剛性が低下することがない。また、パネル間距離などの寸法精度が悪い場合であっても、これら干渉部材１９の大きさを調整して挿入することによって、パネル１同士を確実に接合することができる。ここで、この干渉部材１９には、金属、木材、樹脂等を使用することができる。また、この干渉部材１９は、穴を形成し、接合部材１０を挿入するようにしても良いし、２個の部材によって形成し、接合部材１０を挟むようにして表面板連結部材７，７間に挿入するようにしても良い。
【０１２１】
また、図４は、表面板連結部材７に、第一の表面板３と第二の表面板４との間の略中間に凸状部１５が形成されている。このように、凸状部１５を表面板連結部材７に一体に成形するため、部材点数を増やさずに容易にパネル同士を当接することができる。なお、この表面板連結部材７は、第一の表面板３を第二の表面板４方向に折り曲げて形成したものであっても、逆に第二の表面板４を第一の表面板３方向に折り曲げて形成したものであっても良い。また、折板２の端部を成形して形成した端部連結部材であっても良い。
【０１２２】
なお、凸状部１５は、図４に示すように台形状に形成される以外に長方形状、円弧状等に形成されている場合であっても、同様の効果を得ることができる。また、より確実に固定する為に、これら凸状部１５，１５の間に、接着剤等を挟みこむこともできる。なお、ここで言う近接とは、パネル剛性の低下を抑制するためには当接する必要があるが、施工上、製作上必ずしも全面が当接していなくとも良く、少なくとも一部が当接または、パネル相互に干渉し、接合部における曲げ変形が抑制される隙間であればよい。
【０１２３】
図６は、本発明の第４の実施形態におけるパネル接合方法により接合したパネルの接合部の断面図である。なお、図６において、図１乃至図５と同一の部材は、同一の符号を付して詳細な説明は省略する。
【０１２４】
本実施形態例におけるパネル接合方法は、第二の表面板４の端部が折板２側に谷折されて、その端部を折板２の斜面に沿って曲折した凹部１６に接合部材１０の山折りにされた板部材９を係合してパネル同士を接合している。
【０１２５】
また、端部連結部材７は、折板２の端部を第一の表面板３方向に折り曲げて形成されている。なお、第一の表面板３の端部を第二の表面板４側に折り曲げて形成する表面板連結部材７としてもよい。
【０１２６】
図７は、本発明の第５の実施形態におけるパネル接合方法により接合したパネルの接合部の断面図である。なお、図７において、図１乃至図６と同一の部材は、同一の符号を付して詳細な説明は省略する。
【０１２７】
本実施形態例におけるパネル接合方法は、接合部材１０の板部材９の両端に略V字状の係合部材３１，３１が設けられ、パネル１の端部に設けられている凸部１４，１４にそれぞれ係合し、パネル１，１を接合している。このように、凸部１４，１４それぞれに接合部材３１，３１が係合しているため、接合部に圧縮、引張の力が作用した場合であっても、圧縮、引張りの両方の力に抵抗し、接合部における曲げ変形を抑制できる。
【０１２８】
図８は、本発明の第６の実施形態におけるパネル接合方法により接合したパネルの接合部の断面図である。なお、図８において、図１乃至図７と同一の部材は、同一の符号を付して詳細な説明は省略する。
【０１２９】
本実施形態例におけるパネル接合方法は、接合部材１０の板部材９の両端部が山折りされた突起部３２に形成され、これら突起部３２が、第二の表面板４に形成されている開口８と係合することによって、パネル１，１が接合されている。このように、突起部３２が第二の表面板４に形成された開口と係合するため、表面板部分に大きな突起が出ることなく、接合部に圧縮、引張の力が作用した場合であっても、圧縮、引張りの両方の力に抵抗し、接合部における曲げ変形を抑制できる。
【０１３０】
図９は、第一の表面板３上に、床板２０が設けられているものである。そして、図９は、接合部材１０と共に用いられ、パネル１を接合する締結部材１１の他の形態を示すもので、締結部材１１と、第一の表面板３及び第二の表面板４間の摩擦力を高めるように、突起部１７を設けているものである。このように、締結部材１１と各表面板３，４との摩擦力を高めることで、ネジなどによる接合がなくとも接合部に曲げ荷重がかかった場合であっても、締結部材１１と表面板３，４間で、すべりが生じず、接合部においてもパネルの剛性が低下することがない。
【０１３１】
このように、締結部材１１と表面板３，４間の接合力を高める方法として、図９に示すように、突起部１７を形成する以外に、例えば、図１０（ａ），（ｂ）に示すように、例えば、締結部材１１の各表面板３，４と当接する面側に突起１８を設けることもできる。
【０１３２】
図１１は、例えば、図１０（ａ）、（ｂ）に示すような締結部材１１を有する接合部材１０を用いた場合のパネル１の接合方法の一例を示す図である。例えば、図１１（ａ）に示すように、パネル１、１の端部のそれぞれに表面板連結部材７として、木材、樹脂などからなる厚肉の部材を用いた場合、締結部材１１の各突起１８が各々の表面板連結部材７に突き刺さり、パネル１，１を確実に固定、接合することができる。また、図１１（ｂ）に示すように、パネル１、１の端部連結部材７間に、干渉部材１９を挿入し、この干渉部材１９を貫通するように締結部材１１を挿入した場合であっても、突起１８が干渉部材１９に突き刺さり、パネル１，１を確実に固定、接合することができる。また、例えば、表面板３，４が樹脂又は木材等で形成されている場合、表面板連結部材７や、干渉部材１９を設けなくても、表面板３，４にこの突起１８が突き刺さり、接合部に負荷がかかった場合であっても、締結部材１１のすべりが抑制され、接合部におけるパネルの剛性の低下を防ぐことができる。さらに、表面板３，４が金属等の場合は、別途開口等を設けておくことによって、突起１８と開口とを係合させることで、パネル１，１間を接合することができる。
【０１３３】
図１２は、本発明に係るパネルの接合方法を、一方の表面板が床板や壁面等の他部材の場合における形態例を示す図である。なお、図１２において、図１乃至図１１と同一の部材は、同一の符号を付して詳細な説明は省略する。
【０１３４】
本実施形態例におけるパネルの接合方法と、前述の第１乃至第６の実施形態との相違点は、第一の表面板３として床板や壁面等の他部材２０を設けていることである。そして、端部には、第二の表面板４から延長されて成形されている表面板連結部材７の端部をさらに成形することによって平坦部２１が形成されている。このように、端部において第二の表面板４を成形することによって、凸部１４、表面板連結部材７及び平坦部２１を形成している。このため、図１２（ａ），（ｂ），（ｃ）に示すように、他部材２０の端部の形態が異なる場合であっても平坦部２１の形状を変更することで対応することができる。ここで、凸部１４、表面板連結部材7及び平坦部２１は折板２を変形して形成することもできる。
【０１３５】
また、本発明に係るパネルの接合方法は、例えば、パネル１が折板２の斜面を残すようにして切断された端部を有しているような場合にも適用することができる。
【０１３６】
図１３は、折板２の切断端部が、斜面を残すように加工されているパネル１を一列になるように配置する例を示した図である。図１３（ａ）は、パネル１の斜面を千鳥状に配列する例を示し、図１３（ｂ）は、各パネル１の斜面が平行になるように配列した例を示している。なお、これらは配列方法は、施工場所等に合わせて、適宜選択することができる。
【０１３７】
図１４は、パネル１の端部が、斜面を残して加工されている場合の接合方法を説明するための図である。なお、図１４において、図１乃至図１３と同一の部材は、同一の符号を付して詳細な説明は省略する。
【０１３８】
図１４に示すように、折板２の斜面３０，３０’同士を突き合わせ、接着剤２２等及び／又はネジ１３によって、各パネル１を接合、固定する。このように、斜面３０，３０’同士を突き合わせて接合するため、接合部において折板２の形状が不連続とならない。このため、パネルに曲げやせん断の力が作用した場合であっても接合部において変形等を生ずることを抑制することができ、パネル全体としての剛性の低下を防げる。
【０１３９】
また、斜面３０，３０’同士を突き合わせて接合する他の方法として、図１５に示すような方法もある。図１５に示すように、山部５の平坦部が少ない場合は、前述したように（図１４参照）、平坦部にネジ１３を挿通する等によって固定することが困難である。このため、図１５に示すように、一方のパネル１の折板２及び第二の表面板４のそれぞれの端部を曲折して舌片部２４及び２３を形成する。これら舌片部２４及び２３を当接する他方のパネル１の山部５及び谷部６に形成されている孔２８及び２７に挿入して固定する。このように、図１４のように、下方側（床板或いは壁面とは反対側）からの作業を必要とせず、床板或いは壁面側からの作業だけで、確実にパネル同士を接合することができる。
【０１４０】
また、図１６に示すように、一方の折板２の端部に舌片部２４を設け、谷部６に孔２７を設け、他方の折板２にも同様に端部に舌片部２５、山部５に孔２８を設け、これら舌片部２４，２５と孔２８，２７をそれぞれ係合して、固定、接合することもできる。
【０１４１】
また、図１７は、図１５及び図１６と異なり、折板２の斜面部分で互いを接合する方法を示したものである。この図１７に示す形態例は、他方の折板２の斜面３０’の途中部分に孔２７が形成されており、この孔２７に係合するように、一方の折板２の斜面３０の途中に舌片部２４が形成されている点が図１５，１６に示す形態例と異なる点である。
【０１４２】
また、図１８は、折板２の山部５を、床板や壁面等の他部材２０から少し離すことによって形成できる平坦部２９を用いて接合する接合方法を説明するための図である。このように、平坦部２９を形成し、スペーサー部材３３を介してネジ１３などを用い接合することによって、広い接合部分を形成することができるため、作業性及び施工性を向上させることができる。
【産業上の利用可能性】
【０１４３】
本発明に係るパネル接合方法によると、簡易な方法で確実にパネル同士を接合することができ、施工性に優れるとともに、接合部においても剛性の低下の少ないパネル接合方法とでき、産業上の利用価値を有するものである。
【図面の簡単な説明】
【０１４４】
【図１】本発明のパネル接合方法の第１の実施形態例におけるパネル接合方法により接合したパネルの接合部の断面概略図を示す図である。
【図２】本発明の第２の実施形態におけるパネル接合方法により接合したパネルの接合部の断面図である。
【図３】本発明の第３の実施形態の一例のパネル接合方法により接合したパネルの接合部の断面図である。
【図４】本発明の第３の実施形態の一例のパネル接合方法により接合したパネルの接合部の断面図である。
【図５】本発明の第２の実施形態におけるパネル接合方法の変形例により接合したパネルの接合部の断面図である。
【図６】本発明の第４の実施形態におけるパネル接合方法により接合したパネルの接合部の断面図である。
【図７】本発明の第５の実施形態におけるパネル接合方法により接合したパネルの接合部の断面図である。
【図８】本発明の第６の実施形態におけるパネル接合方法により接合したパネルの接合部の断面図である。
【図９】本発明に係るパネル接合方法において、第一の表面板の上に、床板や壁面等が設けられている場合について説明するための図である。
【図１０】接合部材に用いられる締結部材の一例を示す図である。
【図１１】図１０に示す締結部材の使用方法の一例を説明するための図である。
【図１２】本発明に係るパネル接合方法を、一方の表面板が壁面等の他部材の場合における形態例を示す図である。
【図１３】折板の切断端部が、斜面を残すように切断されているパネルを一列になるように配置する例を示した図である。
【図１４】パネルの端部が、斜面を残して切断されている場合の接合方法を説明するための図である。
【図１５】斜面同士を突き合わせて接合する場合の接合方法を説明するための図である。
【図１６】斜面同士を突き合わせて接合する場合の接合方法の他の形態例を示す図である。
【図１７】折板の斜面部分で互いを接合する場合の接合方法の他の形態例を示し、斜面部の途中で接合する方法を示す図である。
【図１８】折板の山部を、壁面等の他部材から少し離すことによって形成できる平坦部を用いて接合する接合方法を示す図である。
【図１９】パネルの配列例を示す図である。
【図２０】従来のパネル接合方法の一例を説明するための図である。
【図２１】従来のパネル接合方法の他の例を説明するための図である。
【符号の説明】
【０１４５】
１  パネル
２  折板
３  第一の表面板
４  第二の表面板
５  山部
６  谷部
７  端部連結部材（表面板連結部材）
８  開口
９  板部材
１０  接合部材
１１  締結部材
１２  軸部材
１３  ネジ
１４  凸部
１５  凸状部
１６  凹部
１７  突起部
１８  突起
１９  干渉部材
２０  他部材
２１  平坦部
２３，２４，２５  舌片部
２７，２８  孔
【図１】
2005054417.tif 000003
【図２】
2005054417.tif 000004
【図３】
2005054417.tif 000005
【図４】
2005054417.tif 000006
【図５】
2005054417.tif 000007
【図６】
2005054417.tif 000008
【図７】
2005054417.tif 000009
【図８】
2005054417.tif 000010
【図９】
2005054417.tif 000011
【図１０】
2005054417.tif 000012
【図１１】
2005054417.tif 000013
【図１２】
2005054417.tif 000014
【図１３】
2005054417.tif 000015
【図１４】
2005054417.tif 000016
【図１５】
2005054417.tif 000017
【図１６】
2005054417.tif 000018
【図１７】
2005054417.tif 000019
【図１８】
2005054417.tif 000020
【図１９】
2005054417.tif 000021
【図２０】
2005054417.tif 000022
【図２１】
2005054417.tif 000023